(57)【要約】      （修正有）【課題】  電子番組表を利用した番組予約機能付きの記録再生装置において、記録予約を行った番組に関して、本編と本編とは異なるＣＭ等との質的記録条件を求める。【解決手段】  本編／ＣＭ判定部は、二重音声とステレオとの音声との音声出力の違いに基づいて識別し、ＣＭ記録では、記録するビットトレーを低くしたり、エンコード条件を記憶容量が小さくなる方向に変化させる。番組における音声に関する情報に基づいて、本編と本編中に挿入されたＣＭとの検出を自動的に行い、この検出結果に基づいてＭＰＥＧの解像度変更フラグ７１、を設け番組の解像度を自動的に変更する。たとえば本編解像度を７２０×４８０の高解像度とし、ＣＭ部分を３５２×２４０とし、第２の解像度変更フラグで解像度を７２０×４８０の高解像度に戻す。【選択図】  図４
2005354148.tif 000002
【特許請求の範囲】
【請求項１】
番組を記録する記録部と、
記録予約が行なわれた番組における、本編と該本編内に挿入されている付随番組との切り替わりタイミングを検出する検出部と、
該切り替わりタイミングに基づいて、前記本編と前記付随番組とのそれぞれについて記録に関する質的記録条件を設定する質的記録条件設定部と
を有することを特徴とする記録装置。
【請求項２】
さらに、番組表情報を取得する番組表情報取得部を有し、
該番組表情報取得部から取得した番組表情報に基づいて、記録の予約が行われた番組における、本編と該本編内に挿入されている付随番組との切り替わりを検出する検出部と、
該検出部により検出された切り替わりタイミングに基づいて、前記本編と前記付随番組との記録に関する質的記録条件を設定する質的記録条件設定部と
を有することを特徴とする記録装置。
【請求項３】
前記付随番組は、ＣＭ又は臨時ニュースを含み、前記番組表情報に時間情報や内容情報が含まれていない番組であることを特徴とする請求項２に記載の記録装置。
【請求項４】
前記質的記録条件は、記録する番組の解像度と、番組の記録に関する記録ビットレートと、エンコード情報と、のうちの少なくともいずれか１つを含むことを特徴とする請求項１から３までのいずれか１項に記載の記録装置。
【請求項５】
前記検出部は、前記本編と前記付随番組との音声情報の差異に基づいて前記本編と前記付随番組との切り替わりタイミングを検出することを特徴とする請求項１から４までのいずれか１項に記載の記録装置。
【請求項６】
前記検出部は、前記本編と前記付随番組との映像情報の差異に基づいて前記本編と前記付随番組との切り替わりタイミングを検出することを特徴とする請求項１から４までのいずれか１項に記載の記録装置。
【請求項７】
前記検出部が検出した前記本編と前記付随番組との切り替わりタイミングからある時間だけ前記付属番組側に入り込むタイミングで前記質的記録条件を変更することを特徴とする請求項１から６までのいずれか１項に記載の記録装置。
【請求項８】
前記検出部は、前記電子番組表情報から得られる番組の特徴点を加味して前記本編と前記付随番組との切り替わりタイミングを検出することを特徴とする請求項１から７までのいずれか１項に記載の記録装置。
【請求項９】
前記付随情報と前記本編との切り替わりタイミングの検出履歴を記憶する記憶部と、今回の記録対象番組について、実際のシーンチェンジの発生時刻と前記検出履歴とに基づいて今回記憶対象番組に関する付随情報を推測することを特徴とする請求項１から８までいずれか１項に記載の記録装置。
【請求項１０】
さらに、前記付随放送に関する質的記録条件を設定する操作を行う設定操作部を有することを特徴とする請求項１から９までのいずれか１項に記載の記録装置。
【発明の詳細な説明】
【技術分野】
【０００１】
本発明は、記録装置に関し、特に、予約機能付きの番組記録装置におけるＣＭなどの特定番組の検出技術に関する。
【背景技術】
【０００２】
放送番組を記録し再生できる記録再生装置であって様々な機能を有する装置が存在する。このような記録再生装置において、ＨＤＤなどの記録部又はＤＶＤディスクなどの記録媒体に対して、どのように放送番組を記録するかが重要となる。
例えば、画像記録装置において、記録媒体に記録していた記録時間と記録容量とを測定し、受信データから転送レートの抽出及び番組のジャンルを抽出し、その統計をとり、ジャンル別にメモリに蓄積し、ジャンルなどをもとにメモリ上の統計データから記録媒体に記録可能な残量の予測を行う技術が開示されている（例えば、特許文献１参照）。
【０００３】
【特許文献１】特開２０００−２５１４０６号公報
【発明の開示】
【発明が解決しようとする課題】
【０００４】
最近では、電子番組表（ＥＰＧ）を利用した番組予約機能付きの記録装置が一般的になってきており、利用者は電子番組表に基づいて簡単に番組の記録に関する予約を行うことができるようになっている。この際、番組内に挿入されて番組の本編とは異なるＣＭ等の放送時間帯を知ることが出来ると便利である。
【０００５】
本発明は、電子番組表を利用した番組予約機能付きの記録再生装置において、記録予約を行った番組に関して、本編と本編とは異なるＣＭ等との質的記録条件を求める技術を提供することを目的とする。
【課題を解決するための手段】
【０００６】
本発明においては、記録装置において、ＥＰＧなどによる番組記録予約された番組に関して本編中に挿入されたＣＭ等の特定番組と本編とを記録する際に、本編と特定番組との特徴点の相違に基づいて自動的に検出する。この検出結果に基づいて記録する際の画質・音質等の質的記録条件を決める。
【発明の効果】
【０００７】
本発明によれば、記録装置における限られた容量の範囲内で、本編と本編内に挿入される付随番組との質的記録条件を自動的に設定することができる。従って、記録装置内の限られた容量を有効に利用することができるという利点がある。
【発明を実施するための最良の形態】
【０００８】
本明細書において、質的記録条件とは、例えば、エンコードタイプ、ビットレート設定等の記録条件を指す。
【０００９】
以下においては、記録装置の例として最も一般的な記録再生装置について説明を行う。まず、本発明の第１の実施の形態による記録再生装置について、図面を参照しつつ以下に説明を行う。図１は、本実施の形態による記録再生装置の全体構成例を示す図である。尚、図１においては、放送番組の受信系から放送番組の出力系までを１つのシステムとして示しているが、実際には、複数の装置（テレビ受像機、記録再生装置など）毎に分離され有線又は無線により接続されているのが一般的である。図１に示すように、本実施の形態による記録再生装置は、放送番組を受信するためのアンテナ１と、アンテナ１で受信したデジタル放送のうちユーザが望む番組を選択するチューナ２と、チューナ２により選択された番組内容の記録メディア４からの読み出し及び記録メディア４への書き込みを制御する制御部３と、番組内容を記録する記録メディア４と、番組内容情報を映像情報と音声情報とに分離するデマルチプレクサ（ＤＥＭＵＸ）５と、デマルチプレクサ５から与えられる映像信号を復号する映像復号部６と、音声情報を復号する音声復号部７と、それぞれを出力するディスプレイ８及びスピーカ９と、を有している。制御部３は、取得したＥＰＧ情報１１に基づいてユーザが選択した番組を再生又は記録する。
【００１０】
図２は、図１に示す記録再生システムに含まれる記録再生装置の一構成例を示す図である。図２に示すように、本実施の形態による記録再生装置は、選局部４３と、本編／ＣＭ判定部（図２では具体例としてステレオ・二重音声判定部が示されている。）４５と、録画解像度・レート変更部４７とを含む制御部４１と、ＥＰＧ番組情報取得部５１と、ユーザ設定部５３と、ＥＰＧ番組情報とユーザ設定とのいずれの情報に基づいて録画解像度・レート変更を行うか否かを自動的に切り替える許可を行う自動切り替え許可部５５と、を有している。図２に示すように、選局部４３において番組の選局を行い、本編／ＣＭ判定部４５において、異なるカテゴリの番組、例えば本編と本編中番組又は本編間番組（以下、本編中番組と称する。）に挿入されているＣＭとをそれぞれ識別する。
【００１１】
本編中に挿入されている本編中番組としては、ＣＭの他に臨時ニュースなどが対象となる。本編とＣＭ等とに関して録画解像度や記録レートを調整する際にＣＭ等の関する種々の情報が必要となるが、ＥＰＧ番組情報取得部４５により取得された番組情報は、後述のように一般的に本編に関する情報であって、開始時間と終了時間などの時間情報、番組の内容や出演者などの内容関連情報と含んではいるが、ＣＭ等に関する時間情報や内容情報等は含んでいない。
【００１２】
図３は、ＥＰＧに含まれる一般的な番組表情報の一構成例を示す図である。図３に示すように、番組（本編）の開始時刻と、終了時刻と、番組カテゴリ（ドラマ、アニメ）などの属性情報と、番組毎の識別ＩＤ（管理情報）と、番組名（タイトル）と、番組のあらすじ、出演者、キーワードなどの番組情報と、を有するが、上述のように、その中に挿入されているＣＭ情報は含まれていない。そこで、図２に示す本編／ＣＭ判定部（ステレオ・二重音声判定部）４５により本編中のＣＭの検出を行い、録画解像度・レート変更部４７による本編とＣＭとで質的記録条件を変更する。
【００１３】
図４は、本実施の形態による記録再生システムによる映画タイトル番組の記録時における解像度の時間による変化例を示す図である。図４に示す例では、映画タイトルのデータ構成６１において、音声情報として二重音声を用いた第１本編６３と、ステレオ音声を用いたＣＭ６５と、二重音声の第２本編６７と、を含む簡単化された例により説明を行う。本編／ＣＭ判定部（ステレオ・二重音声判定部）４５は、二重音声による第１本編６３の番組と、ステレオによるＣＭ放送６５とを、二重音声とステレオとの音声との音声出力の違いに基づいて識別することができる。この識別結果により、ＣＭ放送を記録する際には、質的記録条件、例えば記録するビットトレーを低くしたり、エンコード条件を記憶容量が小さくなる方向に変化させたりすることができる。
【００１４】
図４に示す例では、番組における音声に関する情報に基づいて、本編と本編中に挿入されたＣＭとの検出を自動的に行い、この検出結果に基づいて第１本編６３とＣＭ６５との間に、例えばチャプターマークによりＭＰＥＧの解像度変更フラグ７１、７３を設け、これを目印に番組の解像度を自動的に変更する。第１の解像度変更フラグ７１（図４の左側のフラグ）を境に第１本編６３は解像度を例えば７２０×４８０の高解像度とし、ＣＭ部分６５は例えば３５２×２４０の第１本編６３よりも低い解像度とし、第２の解像度変更フラグ７３（図４の右側のフラグ）を境に第２本編６７は解像度を例えば第１本編６３と同じ７２０×４８０の高解像度に戻す。これにより、音声情報に基づいて識別した本編とＣＭとの境界における解像度変更フラグに基づいて、解像度の異なる（従って画質とそれに伴う占有容量の異なる）記録を行うことができる。ＣＭに関する質的記録条件を本編とにおける質的記録条件とは異なるように調整することにより、例えば記録容量を大きくせずに本編の質的記録条件を向上させることもできる。
【００１５】
尚、本編情報に合わせて記録品質に関する条件を画像と音声とに関して独立して変更することもできる。また、音声情報の違いとしては、番組の放送時における番組の音声情報の違いに基づいてＣＭを検出する例を示したが、ＣＭ時に一般的に音量が大きくなる傾向を利用して音量の変化に基づいてＣＭ時間帯を検出することもできる。
【００１６】
次に、本発明の第２の実施の形態による記録再生装置について説明を行う。本実施の形態による記録再生装置は、図２に示す本編／ＣＭ判定部４５が、本編中に挿入されたＣＭを本編とＣＭとを識別するための特徴として音声情報の代わりに映像情報を用いることを特徴とする。例えば、本編／ＣＭ判定部４５として、映像の明暗などの大きな変化（輝度の瞬間的な変化など）を検出する。尚、映像に関する特徴の変化に加えて、音声の変化も加味し、両方の変化を検出した場合に本編とＣＭとの変化点とするように判定処理を行うことも可能である。上記変化を検出した際に検出時点に対して上記のようなマークを付しておくことにより、第１の実施の形態と同様にＣＭ時間帯における質的記録条件を調整することができる。以上のように、本実施の形態による記録再生装置によれば、映像の変化を検出することにより本編中に挿入されたＣＭの時間帯を推測することができる。
【００１７】
次に、本発明の第３の実施の形態による記録再生装置について説明を行う。本実施の形態による記録再生装置は、上記第１又は第２の実施の形態による記録再生装置において、ＣＭ期間を検出した際における、質的記録条件の変更タイミングの決定処理に関して特徴を有する。すなわち、記録開始操作又は記録予約操作を行った後に実際に番組を記録する動作において、上述のようなチャプターマークを正確な位置に付けることが難しい。そこで、実際に検出したＣＭ時間帯の始点と終点とに関して、ＣＭ時間帯側にある時間だけ入り込むようにして質的記録条件を変更することを特徴とする（図４に破線で示す。）。これにより、利用者にとって重要な本編の質的記録条件は確保しつつ、ＣＭ部分の大部分の記憶容量を小さくすることができる。
【００１８】
次に、本発明の第３の実施の形態による記録再生装置の変形例による記録再生装置について説明する。番組を記録する記録部に加えて、バッファメモリを有していることを特徴とする。バッファメモリは、記録部と同期してチャプターマーク近傍のＣＭ時間帯側の番組を高品質で記録するとともに、番組の識別番号とともに、バッファメモリに記録されている情報と関連付けして記憶させておく。記録済みの番組を再生する際には、高品質でバッファメモリに記憶した部分を優先的に再生して、その後の記録部に記録した情報につなげるようにすることができる。或いは、ＤＶＤなどの記録媒体に記録する際にも、上記の技術を適用することにより、記録部の占有容量を少なくすることができる。
【００１９】
次に、本発明の第４の実施の形態による記録再生装置について説明を行う。本実施の形態による記録再生装置は、ＥＰＧなどの番組情報と上記ＣＭ検出処理とを加味して、記録処理を行うことを特徴とする。上述のように、電子番組表情報は、番組のカテゴリ（ドラマ、アニメーション）と種別（新番組、特別番組、再放送）などの番組（本編）の特徴点を加味してＣＭ時間帯と本編との質的記録条件を決定する処理を行うことを特徴とする。例えば、本編がアニメーションであり毎週予約を行っている場合には、例えば低ビットレートで記録することにより占有容量を小さくすることができる。このような場合には、本編も低ビットレートで記録しているため、ＣＭ放送帯を検出する処理を行わないという選択も可能である。一方、保存版としてアニメーションを記録する場合には、高ビットレートで記録する必要があるため、この場合にはＣＭ放送帯の検出処理を行い、可能な限り占有容量を低減するようにすることも可能である。
【００２０】
次に、本実施の形態の変形例による記録再生装置について説明する。本実施の形態による記録再生装置においては、ＣＭ放送帯の質的記録条件をユーザが設定することを特徴とする。すなわち、図２に示すユーザ設定部５３において、例えばＨＤＤなどの記録部への占有容量を少なくしようとする意図による質的記録条件の設定が行われる。例えば、本編の記録ビットレートとＣＭ放送帯における記録ビットレートとに関する所定の値を予め設定しておくことにより、上記の各実施の形態において説明したようにＣＭ時間帯検出処理が行われた際に、検出されたＣＭ時間帯と本編とに対して、上記設定処理に基づく適切な記録ビットレートで記録を行わせることができる。
【００２１】
尚、上記ＣＭ時間帯検出処理において、過去に同じ種別又は番組名による放送において検出されたＣＭ時間帯を番組と関連付けして記憶させておき、同じ種別又は番組名を有する今回の記録対象番組について、実際のシーンチェンジの発生時刻と過去の同じ番組に関するＣＭ放送時間帯とに基づいて今回記憶対象番組に関するＣＭ時間帯検出精度を向上させるように構成することも可能である。
【００２２】
以上、本発明の各実施の形態による記録再生装置によれば、本編と本編中に挿入されるＣＭ等との間の変化のタイミングを精度良く検出することができる。このタイミングに基づいて、本編とＣＭ等とのそれぞれの質的記録条件として異なる値を設定して記録処理を行うことにより、記憶容量に限りのある記録装置を有効に活用することができる。
【産業上の利用可能性】
【００２３】
本発明は、ＤＶＤレコーダー、ＴＶ機能及び番組記録機能付きパーソナルコンピュータ（ＰＣ）、通信機能付きデジタルビデオカメラ、ＴＶ機能及び番組記録機能付き携帯電話機などに適用可能である。
【図面の簡単な説明】
【００２４】
【図１】本発明の一実施の形態による記録再生装置を含む記録再生システムの一構成例を示す図である。
【図２】図１に示す記録再生システムに含まれる記録再生装置の一構成例を示す図である。
【図３】ＥＰＧに含まれる一般的な番組表情報の一構成例を示す図である。
【図４】本実施の形態による記録再生システムによる映画タイトル番組の記録時における解像度の時間による変化例を示す図である。
【符号の説明】
【００２５】
１…アンテナ、２…チューナ、３…制御部、４…記録メディア、５…ＤＥＭＵＸ、６…映像復号部、７…音声復号部、８…ディスプレイ、９…スピーカ、１０…入力部、１１…ＥＰＧ、４３…選局部、４５…ステレオ・二重音声判別部、４７…録画解像度・レート変更部、５１…ＥＰＧ番組情報取得部、５３…ユーザ設定部。
【図１】
2005354148.tif 000003
【図２】
2005354148.tif 000004
【図３】
2005354148.tif 000005
【図４】
2005354148.tif 000006